(57)【要約】【課題】シンクやコンロ台等の周囲に水がはねたり、油が飛散することを防ぐとともに、開放感を保つことができる対面式キッチンカウンターを提供する。【解決手段】。キッチンカウンターＡと該キッチンカウンターＡの後縁に付設された嵌合溝部１に取り付けられるスクリーンＢとからなり、該スクリーンＢの下端には上記嵌合溝部１と着脱自在に嵌合する嵌合手段３が設けられた対面式キッチンカウンター。好ましくは、上記嵌合手段３と嵌合溝部１とがけんどん式に嵌合する。【選択図】図１
2006081571.tif 000002
【特許請求の範囲】
【請求項１】
キッチンカウンターと該キッチンカウンターの後縁に付設された嵌合溝部に取り付けられるスクリーンとからなり、該スクリーンの下端には上記嵌合溝部と着脱自在に嵌合する嵌合手段が設けられた対面式キッチンカウンター。
【請求項２】
上記嵌合手段がＬ字型に内側に突設されるとともに、その先端に係合片を備え、上記嵌合溝部とけんどん式に嵌合する請求項１に記載の対面式キッチンカウンター。
【請求項３】
上記嵌合手段が嵌合溝部をスライド自在に移動する請求項１に記載の対面式キッチンカウンター。
【請求項４】
上記スクリーンが透明部材からなる請求項１に記載の対面式キッチンカウンター。
【発明の詳細な説明】
【技術分野】
【０００１】
本発明は、キッチンカウンターに関する。さらに詳しくは、キッチンカウンターの後縁にスクリーンを取り付けた対面式キッチンカウンターの構造に関する。
【背景技術】
【０００２】
近年、主婦が調理しながら家族と会話を楽しんだり、仕上がった調理を直接、テーブルに供することができるように、前面が開放された対面式キッチンカウンターが普及しつつある。
【特許文献１】特開２００３−８８４３２号公報（第１−３頁、第４図）
【発明の開示】
【発明が解決しようとする課題】
【０００３】
上記対面式キッチンカウンターは、台所と食事室とを近づけ、主婦が孤立せずに家族と団欒しながら調理ができるという利点があるが、食器等の洗い作業の際に水がはねたり、また、調理のときに油が飛散し、周囲の家具、例えば、食事用のテーブルを汚すという問題がある。本発明は、このような問題を解決して、シンクやコンロ台等の周囲に水がはねたり、油が飛散することを防ぐとともに、カウンターの後ろ側がオープンで、開放感を保つことができる対面式キッチンカウンターを提供することを、その課題とする。
【課題を解決するための手段】
【０００４】
上記課題を解決するために、本発明においてはつぎのような技術的手段を講じている。すなわち、本発明によれば、キッチンカウンターと該キッチンカウンターの後縁に付設された嵌合溝部に取り付けられるスクリーンとからなり、該スクリーンの下端には上記嵌合溝部と着脱自在に嵌合する嵌合手段が設けられた対面式キッチンカウンターが提供される。上記嵌合溝部は、アルミ製部材にレール状に溝部を凹設して形成されることがこの好ましい。
【０００５】
上記嵌合手段は、スクリーンの下端にＬ字型に内側に突設されるとともに、その先端に連設された係合片を、キッチンカウンターの後縁に設けられた嵌合溝部に嵌め込んだ後、下に落とし、着脱自在に係止するけんどん式とすることが好ましい。また、上記嵌合手段は、透明部材からなるスクリーンと一体的に構成され、嵌合溝部をスライド自在に移動できることが好ましい。上記透明部材としては、無色透明ないしは、ある程度着色した有色透明のプラスチック材料が好ましく用いられる。
【発明の効果】
【０００６】
請求項１に記載の発明は上記のとおりであり、とくに、キッチンカウンターの後縁に設けられた嵌合溝部にスクリーンの下端に設けられた嵌合手段が着脱自在に嵌合するため、シンクやコンロ台等の周囲にはねた水や油が付着してスクリーンが汚れたとき、取り外して洗浄することができるとともに、使用する必要のないときは取り外して開放感を得ることができる。
【０００７】
上記嵌合手段と嵌合溝部とがけんどん式に嵌合するため、上記したように簡単に嵌合することが可能であり、また、スクリーンを持ち上げて下方を手前に引くことによって容易に取り外すことができる。
【０００８】
上記嵌合手段をプラスチック材料から形成するとともに、嵌合溝部をアルミ部材から形成することにより、滑らかにスライド移動できるため、使用する特定箇所、例えばシンクの後に移動して水はねを防ぐことが可能であり、その他の部分をオープンとして開放感を保つことができる。また、スクリーンが透明部材からなるため、開放感を維持することができるとともに、デザイン性にも優れたものとなる。
【発明を実施するための最良の形態】
【０００９】
以下、本発明の実施形態について図面を参照して、詳細に説明する。図１は、本発明にかかる対面式キッチンカウンターを示す斜視図である。図１において、人造大理石あるいはメラミン化粧板からなるキッチンカウンターＡの後縁には、アルミ製部材からなる嵌合溝部１が付設されており、この嵌合溝部１に透明プラスチックスからなるスクリーンＢの下端が着脱自在に嵌合されている。
【００１０】
図２は、図１におけるＸ−Ｘ線に沿う部分断面斜視図であり、図３は上記スクリーンＢを示す斜視図である。図３からよくわかるように、スクリーンＢのスクリーン部２の下端には嵌合手段３がＬ字型に内側に突設され、上記嵌合手段３の先端には係合片３１が連設されるとともに、これらは透明プラスチックスから一体的に形成されている。また、図１、図２から明らかなように、嵌合溝部１はキッチンカウンターＡの後縁の下部全長に亘って付設されるとともに、上記嵌合溝部１を形成する上部係合部１１と下部係合部１２との間は上記嵌合手段３が嵌挿する嵌挿部１３とされ、この嵌挿部１３の奥側は係止凹部１４とされている。
【００１１】
図４（ａ）、図４（ｂ）はスクリーンＢの下端にＬ字型に内側に突設された嵌合手段３を嵌合溝部１にけんどん式に嵌合させる動作を示す説明図である。図４（ａ）に示すように、まず、嵌合手段３の先端に連設された係合片３１を上記嵌挿部１３に嵌挿し、ついで矢印の方向に回動させ、係合片３１を係止凹部１４に落とし込む。係止凹部１４に落とし込まれた係合片３１は、図４（ｂ）に示すように、レール状に嵌合溝部１を形成する上部係合部１１と下部係合部１２とによってしっかりと係止され、嵌合溝部１に沿ってスライド自在となる。
【００１２】
上記したように、嵌合手段３を嵌合溝部１にけんどん式に嵌合することによって、スクリーンＢはキッチンカウンターＡの後縁に着脱自在に取り付けられ、また、取り付け後は、スクリーンＢはスライド自在となる。したがって、スクリーンＢを洗浄するときや不使用時には簡単に取り外すことができる。また、シンクやコンロ台等のうち、使用する特定箇所の後に該スクリーンＢを移動して、水はねあるいは油の飛散を防ぎ、その他の部分はオープンとして開放感を保つことができる。
【図面の簡単な説明】
【００１３】
【図１】本発明にかかる対面式キッチンカウンターを示す斜視図である。
【図２】図１におけるＸ−Ｘ線に沿う部分断面斜視図である。
【図３】本発明にかかるスクリーンを示す斜視図である。
【図４】（ａ）スクリーンの下端にＬ字型に突設された嵌合手段を嵌合溝部にけんどん式に嵌合させる動作を示す説明図である。（ｂ）スクリーンの下端にＬ字型に突設された嵌合手段を嵌合溝部にけんどん式に嵌合させた状態を示す説明図である。
【符号の説明】
【００１４】
Ａ          本発明にかかるキッチンカウンター
Ｂ          本発明にかかるスクリーン
１          嵌合溝部
１１        上部係合部
１２        下部係合部
１３        嵌挿部
１４        係止凹部
２          スクリーン部
３          嵌合手段
３１        係合片
【図１】
2006081571.tif 000003
【図２】
2006081571.tif 000004
【図３】
2006081571.tif 000005
【図４】
2006081571.tif 000006